(57)【要約】  特定された支援エリアにおいてドライバに対して支援を行うための車両用情報処理システムであって、支援エリア進入時のドライバの運転操作情報に基づいて該支援エリアにおける操作パターンを設定する操作パターン設定手段と、操作パターン設定手段で設定した支援エリアにおける操作パターンに応じて該支援エリアにおいてドライバに対して支援を行うための支援情報を決定する支援情報決定手段とを備えることを特徴とする。この構成によって、操作パターンに応じた精度の高い支援情報を用いてドライバに対して支援を行うことができ、ドライバに適した支援を高精度に行うことができる。
2012095964.tif 000002
【特許請求の範囲】
【請求項１】
特定された支援エリアにおいてドライバに対して支援を行うための車両用情報処理システムであって、
前記支援エリア進入時のドライバの運転操作情報に基づいて該支援エリアにおける操作パターンを設定する操作パターン設定手段と、
前記操作パターン設定手段で設定した支援エリアにおける操作パターンに応じて該支援エリアにおいてドライバに対して支援を行うための支援情報を決定する支援情報決定手段と、
を備えることを特徴とする車両用情報処理システム。
【請求項２】
前記支援エリアにおける操作パターンは、操作要因に応じて設けられ、
前記操作パターン設定手段は、支援エリア進入時から停止前行動開始位置までのドライバの運転操作情報に基づいて該支援エリアにおける操作パターンを設定することを特徴とする請求項１に記載の車両用情報処理システム。
【請求項３】
前記支援情報決定手段は、前記操作パターン設定手段で設定した支援エリアにおける操作パターンに変更がある場合には該変更された操作パターンに応じて支援情報を変更することを特徴とする請求項１又は請求項２に記載の車両用情報処理システム。
【請求項４】
前記支援エリア進入位置からの停止前行動開始位置に応じて操作パターン毎に信頼度が設定され、
前記支援情報決定手段は、操作パターン毎の信頼度に基づいて支援情報を決定することを特徴とする請求項１〜請求項３のいずれか１項に記載の車両用情報処理システム。
【請求項５】
前記信頼度は、前記支援エリアにおける前記停止前行動開始位置が前記支援エリア進入位置に近い操作パターンほど高い信頼度が設定されることを特徴とする請求項４に記載の車両用情報処理システム。
【請求項６】
前記信頼度は、前記支援エリアにおいて同じ操作パターンをドライバが実施した頻度に基づいて設定されることを特徴とする請求項４又は請求項５に記載の車両用情報処理システム。
【請求項７】
前記信頼度は、実施頻度が低い操作パターンよりも実施頻度が高い操作パターンに高い信頼度が設定されることを特徴とする請求項６に記載の車両用情報処理システム。
【請求項８】
特定された支援エリアにおいてドライバに対して支援を行うための車両用情報処理システムであって、
前記支援エリア毎に操作パターンと該操作パターンに応じたドライバに対して支援を行うための支援情報とを紐付けて記憶するデータースを備えることを特徴とする車両用情報処理システム。
【請求項９】
前記データベースに記憶される操作パターン毎に信頼度が設定されることを特徴とする請求項８に記載の車両用情報処理システム。
【請求項１０】
ドライバによる運転操作情報と車両の位置情報とを紐付けて記憶されており、該記憶されている情報に基づいて車両の停止が判断され、同じエリアでの停止頻度に基づいて支援エリアが特定されることを特徴とする請求項１〜請求項９のいずれか１項に記載の車両用情報処理システム。
【発明の詳細な説明】
【技術分野】
【０００１】
本発明は、車両のドライバを支援するための車両用情報処理システムに関する。
【背景技術】
【０００２】
車両のドライバを支援するための技術が各種開発されている。例えば、特許文献１に記載の運転支援装置では、地図情報や交通情報に基づいて車両の停止位置を予め特定し、その特定した停止位置と惰性走行での到達可能距離に基づいて停止位置まで惰性走行するための惰性走行開始位置を特定し、惰性走行開始位置（アクセルＯＦＦ）や制動開始位置（ブレーキＯＮ）等をドライバに報知し、ドライバに省エネルギ運転を実行させる。
【先行技術文献】
【特許文献】
【０００３】
【特許文献１】特開２００９−２４４１６７号公報
【特許文献２】特開２００９−５３７３２号公報
【発明の概要】
【発明が解決しようとする課題】
【０００４】
特許文献１に記載の運転支援装置の場合、地図情報や交通情報から一律に停止位置を特定し、その一律の停止位置を基準にして一律の支援を行っている。しかし、停止位置については車両毎（ひいては、その車両のドライバ毎）に異なり、減速停止時の操作についてもドライバ毎にアクセルをＯＦＦしてブレーキをＯＮするタイミングが異なる。したがって、車両（ドライバ）に関係なく、一律に支援が行われると、その支援に対してドライバが煩わしさを感じる。【０００５】
そこで、本発明は、ドライバに適した高精度な支援を行うことができる車両用情報処理システムを提供することを課題とする。
【課題を解決するための手段】
【０００６】
本発明に係る車両用情報処理システムは、特定された支援エリアにおいてドライバに対して支援を行うための車両用情報処理システムであって、支援エリア進入時のドライバの運転操作情報に基づいて該支援エリアにおける操作パターンを設定する操作パターン設定手段と、操作パターン設定手段で設定した支援エリアにおける操作パターンに応じて該支援エリアにおいてドライバに対して支援を行うための支援情報を決定する支援情報決定手段とを備えることを特徴とする。【０００７】
支援エリア毎に、道路形状等が変わるので、ドライバの操作パターンも変わる。また、同じ支援エリアでも、ドライバ毎に、運転操作に癖があるので、操作パターンが変わる。また、同じ支援エリアでも、周辺状況が変わると（外乱）、その周辺状況に応じてドライバの操作パターンが変わる。このような支援エリアでのドライバの操作パターンを把握した上でその操作パターンに応じた支援を行うことにより、ドライバに適した精度の高い支援を行うことができる。【０００８】
そこで、車両用情報処理システムでは、操作パターン設定手段によって支援エリア進入時のドライバの運転操作情報（例えば、アクセル操作情報、ブレーキ操作情報）に基づいてその支援エリアにおけるドライバの操作パターンを設定する。そして、車両用情報処理システムでは、支援情報決定手段によってその操作パターンに応じてドライバに対して支援を行うための支援情報を決定し、その支援情報に基づいてドライバに対して支援を行う。このように、車両用情報処理システムでは、支援エリアに進入するとドライバの操作パターンを設定して、その操作パターンに応じて支援情報を決めることにより、操作パターンに応じた精度の高い支援情報を用いてドライバに対して支援を行うことができ、ドライバに適した支援を高精度に行うことができる。ドライバに適した支援を行うことにより、その支援に対してドライバが煩わしさや違和感を受けることなく、支援を受けることができる。【０００９】
本発明の上記車両用情報処理システムでは、支援エリアにおける操作パターンは、操作要因に応じて設けられ、操作パターン設定手段は、支援エリア進入時から停止前行動開始位置までのドライバの運転操作情報に基づいて該支援エリアにおける操作パターンを設定する。【００１０】
この車両用情報処理システムでは、支援エリア毎にドライバの操作要因（例えば、ドライバの運転操作の癖、外乱（停止車両回避、割り込み等））に応じて操作パターンを用意しておく。そして、車両用情報処理システムでは、操作パターン設定手段によって、支援エリア進入時点から停止前行動開始位置（例えば、アクセルＯＦＦ時の減速開始位置、ブレーキＯＮ時のブレーキ開始位置、ブレーキＯＦＦ時の停止位置）までのドライバの運転操作情報に基づいて、その用意されている操作パターンの中から操作パターンを設定する。このように、車両用情報処理システムでは、操作要因に応じて操作パターンを用意しておくことにより、ドライバの運転操作情報に基づいて操作パターンを簡単かつ高精度に設定でき、この高精度に設定された操作パターンによって精度の高い支援情報を決定できる。【００１１】
本発明の上記車両用情報処理システムでは、支援情報決定手段は、操作パターン設定手段で設定した支援エリアにおける操作パターンに変更がある場合には該変更された操作パターンに応じて支援情報を変更する。【００１２】
支援エリアにおけるドライバの操作パターンが変わると、ドライバがブレーキ操作やアクセル操作を行うタイミングが変わるので、支援情報も変更する必要がある。そこで、車両用情報処理システムでは、操作パターン設定手段で支援エリアにおける操作パターンを変更した場合、支援情報決定手段によってその変更された操作パターンに応じて支援情報も変更する。このように、車両用情報処理システムでは、変更された操作パターンに応じて支援情報も変更することにより、より高精度な支援情報に変更でき、ドライバに対して高精度な支援を行うことができる。【００１３】
本発明の上記車両用情報処理システムでは、支援エリア進入位置からの停止前行動開始位置に応じて操作パターン毎に信頼度が設定され、支援情報決定手段は、操作パターン毎の信頼度に基づいて支援情報を決定する。【００１４】
この車両用情報処理システムでは、操作パターン毎に信頼度が設定される。信頼度は、支援情報を決定するための指標であり、支援エリア進入位置からの停止前行動開始位置（つまり、支援エリア進入位置と各操作パターンの停止前行動開始位置との間の距離）に応じて設定される。ちなみに、外乱の影響等がない減速停止の基本となる操作パターンは、停止前行動開始位置が支援エリアの進入位置に近く、最も早く減速停止行動を開始すると考えられている。そして、車両用情報処理システムでは、支援情報決定手段によってその操作パターンの信頼度に基づいて支援情報を決定する。このように、車両用情報処理システムでは、支援エリア進入位置からの停止前行動開始位置に応じて操作パターン毎の信頼度を設定することにより、信頼度に基づいて支援情報を簡単かつ高精度に決定できる。【００１５】
本発明の上記車両用情報処理システムでは、信頼度は、支援エリアにおける停止前行動開始位置が支援エリア進入位置に近い操作パターンほど高い信頼度が設定される。【００１６】
上記したように、外乱の影響がない操作パターンは、停止前行動開始位置が支援エリアの進入位置に近い。外乱の影響がない場合、ドライバは、通常、このような操作パターンで運転操作を行う。一方、外乱の影響等があると、停止前行動開始位置が支援エリアの進入地点から遠くなる。そこで、車両用情報処理システムでは、操作パターンの停止前行動開始位置が支援エリア進入位置に近いほど高い信頼度を設定している。このように、車両用情報処理システムでは、停止前行動開始位置が支援エリア進入位置に近い操作パターンほど高い信頼度を設定することにより、各走行パターンに対して信頼度を高精度に設定できる。【００１７】
本発明の上記車両用情報処理システムでは、信頼度は、支援エリアにおいて同じ操作パターンをドライバが実施した頻度に基づいて設定される。【００１８】
各支援エリアにおいてドライバが実施する頻度が高い操作パターンほど、ドライバがその支援エリアにおいて行う可能性が高い操作パターンである。そこで、車両用情報処理システムでは、支援エリアにおいて各操作パターンをドライバが実施した頻度に基づいて信頼度を設定している。このように、車両用情報処理システムでは、ドライバの実施頻度に基づいて操作パターン毎の信頼度を設定することにより、各走行パターンに対して信頼度を高精度に設定できる。【００１９】
本発明の上記車両用情報処理システムでは、信頼度は、実施頻度が低い操作パターンよりも実施頻度が高い操作パターンに高い信頼度が設定される。【００２０】
上記したように、ドライバが実施する頻度が高い操作パターンほど、ドライバが支援エリアにおいて行う可能性が高い操作パターンである。そこで、車両用情報処理システムでは、実施頻度が低い操作パターンよりも実施頻度が高い操作パターンに高い信頼度を設定している。このように、車両用情報処理システムでは、実施頻度が低い操作パターンよりも実施頻度が高い操作パターンに高い信頼度を設定することにより、各走行パターンに対して信頼度を高精度に設定できる。【００２１】
本発明に係る車両用情報処理システムは、特定された支援エリアにおいてドライバに対して支援を行うための車両用情報処理システムであって、支援エリア毎操作パターンと該操作パターンに応じたドライバに対して支援を行うための支援情報とを紐付けて記憶するデータースを備えることを特徴とする。【００２２】
この車両用情報処理システムでは、支援エリア毎に操作パターンとその操作パターンに応じた支援情報を紐付けて記憶するデータースを備えることにより、そのデータベースを用いて、支援エリア毎にその支援エリア進入時のドライバの運転操作情報に基づいてその支援エリアにおいてドライバの操作パターンを設定でき、その設定した操作パターンに紐付いた支援情報に決定できる。したがって、この車両用情報処理システムは、上記の本発明に係る車両用情報処理システムと同様の効果を奏する。【００２３】
本発明の上記車両用情報処理システムでは、データベースに記憶される操作パターン毎に信頼度が設定される。このように、この車両用情報処理システムは、データベースに記憶される操作パターン毎に信頼度が設定されることにより、操作パターン毎に設定される信頼度を用いた上記の本発明に係る車両用情報処理システムと同様の効果を奏する。【００２４】
本発明の上記車両用情報処理システムでは、ドライバによる運転操作情報と車両の位置情報とを紐付けて記憶されており、該記憶されている情報に基づいて車両の停止が判断され、同じエリアでの停止頻度に基づいて支援エリアが特定されると好適である。【００２５】
この車両用情報処理システムでは、ドライバによる運転操作情報と車両の位置情報とを紐付けて記憶しておく。そして、車両用情報処理システムでは、その記憶されている情報に基づいて各エリアでのドライバの運転操作による車両の停止を判断し、同じエリアでの停止頻度に基づいて支援エリアを特定する。各車両では停止頻度の多いエリアではその車両のドライバがいつも減速停止や発進加速を行うので、その車両のいつもの減速停止場所や発進加速場所でドライバに対して支援を行うことができる。また、そのエリアでの運転操作情報と車両の位置情報から、例えば、減速停止の場合には各車両のいつもの減速開始位置（アクセルＯＦＦ時）、ブレーキ開始位置（ブレーキＯＮ時）、停止位置（ブレーキＯＦＦ時）が判るので、その車両のドライバのいつもの運転操作感覚でドライバに対して支援を行うことができる。このように、車両用情報処理システムでは、ドライバによる運転操作情報と車両の位置情報とを紐付けた情報に基づいてドライバの運転行動を学習して支援エリアを特定することにより、ドライバにより適した支援を行うことができる。
【発明の効果】
【００２６】
本発明によれば、支援エリアに進入するとドライバの操作パターンを設定して、その操作パターンに応じて支援情報を決めることにより、操作パターンに応じた精度の高い支援情報を用いてドライバに対して支援を行うことができ、ドライバに適した支援を高精度に行うことができる。
【図面の簡単な説明】
【００２７】
【図１】本実施の形態に係る車両用情報処理システムの構成図である。
【図２】本実施の形態に係る候補エリア（支援エリア）の一例である。
【図３】本実施の形態に係る減速パターンの説明図である。
【図４】本実施の形態に係る走行パターンの説明図である。
【図５】本実施の形態に係る減速予測の説明図である。
【図６】本実施の形態に係る各走行パターンの減速開始位置分布とばたつくアクセルパターンのアプローチ前行動分布の一例であり、（ａ）、アプローチ前行動チェック区間内にばたつくアクセルパターンのアプローチ前行動分布がある場合であり、（ｂ）アプローチ前行動チェック区間後にばたつくアクセルパターンのアプローチ前行動分布がある場合である。
【図７】本実施の形態に係るＩＴＳＥＣＵでのメイン処理の流れを示すフローチャートである。
【図８】本実施の形態に係るＩＴＳＥＣＵでの先読み情報提供処理の流れを示すフローチャートである。
【図９】本実施の形態に係るＩＴＳＥＣＵでの行動特性情報更新処理の流れを示すフローチャートである。
【発明を実施するための形態】
【００２８】
以下、図面を参照して、本発明に係る車両用情報処理システムの実施の形態を説明する。なお、各図において同一又は相当する要素については同一の符号を付し、重複する説明を省略する。
【００２９】
本実施の形態では、本発明を、エコ支援機能を有するハイブリッド車両に搭載される車両用情報処理システムに適用する。本実施の形態に係る車両用情報処理システムでは、ＩＴＳ[Intelligent Transport Systems]の１つの機能として減速停止時に車両毎にドライバに適したエコ支援（車両のドライバに対して燃費のよい運転をアシスト）を実現するための機能を構成した。本実施の形態では、その機能について詳細に説明する。なお、前提条件として、減速とはフットブレーキ操作を伴って速度を落とす行為である。フットブレーキ操作があることで燃費改善の余地があると判断する。
【００３０】
エコ支援技術としてはインフラと協調した技術が考えられており、エコ支援を行う対象エリアがインフラ設備（例えば、ビーコン）が設置されている交差点等である。しかし、インフラ設備が車両が停止する可能性のある全ての交差点等に設置されるのは不可能であるので、インフラ協調のエコ支援技術では車両が停止する全ての箇所に対する支援は不可能である。そこで、本実施の形態に係る車両用情報処理システムでは、学習によって支援エリアの候補エリアを設定し、学習によってその候補エリアの中から車両がいつも減速停止する支援エリア（車両が普段の走行ルートで減速停止行動の再現性の高いエリア）を特定し、その支援エリアでの車両特有の減速行動を抽出し、その支援エリアと減速行動（減速予測情報）を用いてエコ支援を行う。
【００３１】
図１〜図６を参照して、本実施の形態に係る車両用情報処理システム１について説明する。図１は、本実施の形態に係る車両用情報処理システムの構成図である。図２は、本実施の形態に係る候補エリア（支援エリア）の一例である。図３は、本実施の形態に係る減速パターンの説明図である。図４は、本実施の形態に係る走行パターンの説明図である。図５は、本実施の形態に係る減速予測の説明図である。図６は、本実施の形態に係る各走行パターンの減速開始位置分布とばたつくアクセルパターンのアプローチ前行動分布の一例である。
【００３２】
車両用情報処理システム１は、支援の候補エリアを設定するための候補エリア学習、候補エリア毎に減速行動を学習して減速予測情報を抽出する減速行動学習、支援エリア毎の減速予測情報（先読み情報）を出力する減速予測、減速予測情報を用いたエコ支援を行う。そのために、車両用情報処理システム１は、路車間通信装置２、ナビゲーションシステム３、ＣＡＮ[Controller Area Network]４、ＩＴＳＥＣＵ[Electronic Control Unit]５、ＨＶ[Hybrid vehicle]ＥＣＵ６からなる。
【００３３】
なお、候補エリア学習や減速行動学習では車両毎の情報をデータベースに蓄積するが、ドライバを認識する手段を備え、認識したドライバ毎にデータベースに情報を蓄積するようにしてもよい。また、車両を運転するドライバが特定されていれば、データベースにはそのドライバの情報が蓄積される。ドライバの特定方法としては、例えば、車両の挙動や走行ルートなどからドライバを特定する手法を用いる。
【００３４】
路車間通信装置２は、インフラのビーコン等と路車間通信するための装置である。路車間通信装置２は、車両がインフラの通信エリア内に進入すると、インフラから情報を受信し、その受信した情報をＩＴＳＥＣＵ５に送信する。インフラからの情報のうちＩＴＳＥＣＵ５で必要とする情報としては、例えば、サービス対象の交差点までの道路線形情報、その交差点の情報（例えば、交差点の形状情報や位置情報、停止線の情報）、信号サイクル情報がある。
【００３５】
ナビゲーションシステム３は、車両の現在位置の検出及び目的地までの経路案内等を行うシステムである。特に、ナビゲーションシステム３では、一定時間毎に、ＧＰＳ[Global Positioning System]装置で受信した信号等に基づいて車両の現在位置を検出すると、その現在位置情報をＩＴＳＥＣＵ５やＨＶＥＣＵ６に送信する。また、ナビゲーションシステム３では、地図データベースに格納されているデータのうちＩＴＳＥＣＵ５で必要とする地図情報をＩＴＳＥＣＵ５に送信する。ＩＴＳＥＣＵ５で必要とする情報としては、例えば、法令で車両停止が定められている場所の位置情報であり、一時停止、踏み切り、信号機等の位置情報である。なお、ナビゲーションシステムを備えない車両の場合、車両の現在位置を取得するためにＧＰＳ装置を備える構成としてもよい。
【００３６】
ＣＡＮ４は、車両内のＬＡＮであり、車両内での情報の送受信に用いられる。ＣＡＮ４に流れる情報のうちＩＴＳＥＣＵ５で必要とする情報としては、例えば、アクセル操作情報、ブレーキ操作情報、車速情報、加減速情報がある。なお、ＩＴＳＥＣＵ５は、ＣＡＮ４の通信インタフェースを有している。
【００３７】
ＩＴＳＥＣＵ５は、ＣＰＵ[Central Processing Unit]、ＲＯＭ[Read Only Memory]、ＲＡＭ[Random Access Memory]等からなる電子制御ユニットであり、高度道路交通システムの各種機能を実現する。ここでは、ＩＴＳＥＣＵ５における機能のうち減速停止時に車両毎にドライバに適したエコ支援を実現するための機能（特に、候補エリア学習、減速行動学習、減速予測）についてのみ説明する。なお、本実施の形態では、ＩＴＳＥＣＵ５における各処理が請求の範囲に記載の操作パターン設定手段、支援情報決定手段に相当し、データベース５ｂが請求の範囲に記載のデータベースに相当する。
【００３８】
候補エリア学習について説明する。候補エリア学習では、車両（ひいては、その車両のドライバ）の走行ルートにおいて減速操作多発区間を候補エリアとして抽出する。この学習方法には、２つの方法がある。その１つの方法が、車両の走行ルートにおいて車両が減速停止すると予め予測される位置（例えば、法令で停止が定められている一時停止、信号機（赤信号）、踏み切り等）に基づいて候補エリアを抽出する方法である。もう１つの方法が、ドライバが車両を走行させているときのドライバのペダル操作情報と車両の位置情報とを紐付けて蓄積しておき、その蓄積された情報に基づいて実際に車両のドライバが減速操作を多発する区間を候補エリアとして抽出する方法である。
【００３９】
１つ目の方法についての具体的な処理を説明する。ＩＴＳＥＣＵ５では、車両走行中、走行中の道路に関する地図情報（特に、一時停止、踏み切り、信号機等の車両が停止すると予測される位置の情報）をナビゲーションシステム３（地図データベース）から受信する。そして、ＩＴＳＥＣＵ５では、ナビゲーションシステム３から現在位置情報を受信する毎に、その車両が停止すると予測される位置（このような位置では、その手前の区間で減速操作が多発すると予測される）を通過したか否かを判断する。車両が停止すると予測される位置を通過した場合、ＩＴＳＥＣＵ５では、その位置の情報に基づいて候補エリアを設定する。なお、車両が停止すると予測される位置としては、自宅、会社等のナビゲーションシステム３で目的地登録や地点登録されている位置を含めてもよい。
【００４０】
２つ目の方法についての具体的な処理を説明する。ＩＴＳＥＣＵ５では、車両走行中、一定時間毎あるいは一定走行距離毎に、ＣＡＮ４からのアクセル操作情報及びブレーキ操作情報と、ナビゲーションシステム３からの現在位置情報とを紐付けてデータベース５ａに蓄積する。データベース５ａにデータが蓄積されると、ＩＴＳＥＣＵ５では、データベース５ａに蓄積されたアクセル操作情報及びブレーキ操作情報に基づいて減速操作を抽出する。減速操作とは、アクセルＯＦＦ、ブレーキＯＮ／ＯＦＦ（繰り返し可）、アクセルＯＮの順で行われる操作である。そして、ＩＴＳＥＣＵ５では、同じルートを通過した通過回数をカウントアップするとともに同じ区間で減速操作が抽出された場合には減速操作回数をカウントアップし、減速操作回数を通過回数で除算して減速操作率を算出する。さらに、ＩＴＳＥＣＵ５では、通過回数が所定回数以上（例えば、５回、１０回以上）でありかつ減速操作率が閾値以上（例えば、８０％、９０％以上）の区間を候補エリアとして設定する。この減速操作の多発する区間の判定方法については、他の方法でもよい。
【００４１】
ＩＴＳＥＣＵ５では、候補エリアを設定する際に、候補エリアとして幅方向としては車両走行方向の全ての車線を含みかつ長さ方向としては所定の距離を有するエリアを設定する。この所定の距離は、停止するためのドライバの減速操作が十分に含まれる距離とする。例えば、図２に示すように、一時停止線Ｌがある交差点の場合、一時停止線Ｌの前方の交差点内の中心位置から一時停止線Ｌの手前の所定の位置（数１００ｍ手前の位置）までの区間を候補エリアＣＡとして設定する。この区間の長さは、停止する際の減速行動を十分に抽出できる距離とする。また、車両毎にドライバの減速操作時の進行距離を学習・活用して車両毎（ひいては、ドライバ毎）に適した範囲を設定してもよい。
【００４２】
減速行動学習について説明する。減速行動学習では、候補エリアを通過する毎に各種情報を蓄積しておき、蓄積した情報から候補エリア内での有効な減速操作（アプローチ行動）を抽出し、有効な減速操作が抽出された停止頻度の多い候補エリアを支援エリアとして特定し、その支援エリアでの減速予測情報を生成する。支援エリアでの減速予測情報を生成する場合、減速行動学習では、抽出したアプローチ行動の前の運転操作（アプローチ前行動）を抽出し、そのアプローチ前行動に応じた走行パターン毎に減速予測情報を生成し、各走行パターンに信頼度を設定する。
【００４３】
減速予測情報は、図２に示すように、支援エリアＡＡ毎の減速開始位置（アクセルをＯＦＦ操作した位置）ＡＦ、ブレーキ開始位置（ブレーキをＯＮ操作した位置）ＢＮ、停止位置（ブレーキをＯＦＦ操作した位置）ＢＦである。減速予測情報は、支援エリア毎に生成され、各支援エリアの走行パターン毎に生成される。
【００４４】
減速行動学習についての処理を具体的に説明する前、有効な減速操作の抽出（フィルタ精査）で用いる減速パターンについて説明しておく。減速パターンは、減速行動を実施するうえで必須となるペダル操作に着眼して、多種多様の運転行動に対応できるペダル操作の遷移を示すパターンであり、アクセルＯＦＦ操作をトリガとしたブレーキ操作を伴う減速行動のパターンである。このような様々な減速パターンを利用することにより、車両（ひいては、その車両のドライバ）のいつもの減速目標への減速アプローチがある場合に車両毎のドライバの癖や外乱の影響等を見分けることができ、支援エリアを特定できる。
【００４５】
図３には、その減速パターンの一例を示しており、符号Ｐ１で示す減速パターンが基本操作の減速パターンであり、符号Ｐ２で示す減速パターンが減速目標に対する減速の前に外乱（例えば、停止車両回避、割り込み）による減速がある減速パターンであり、符号Ｐ３で示す減速パターンが２段停止の減速パターンであり、符号Ｐ４で示す減速パターンがポンピングブレーキでの減速パターンであり、符号Ｐ５で示す減速パターンがクリープ操作が有るときの減速パターンである。ちなみに、このクリープ操作は、車両が停止後に、ドライバがブレーキのＯＮ／ＯＦＦ操作を繰り返して停止位置を徐々に変える操作である。この図では、横軸が車両の位置（走行距離）Ｌであり、縦軸が車速Ｖである。図中で示す白塗り三角がアクセルのＯＦＦ操作を示し、白塗り円がアクセルのＯＮ操作を示し、黒塗り三角がブレーキのＯＦＦ操作を示し、黒塗り円がブレーキのＯＮ操作を示す。図中で示す（ｂ）の区間が減速目標へのアプローチ行動の区間であり、（ａ）の区間がアプローチ前行動の区間であり、（ｃ）がアプローチ後行動の区間である。この（ｂ）でのアプローチ行動区間での減速行動が、車両（ドライバ）の減速目標への減速停止行動である。
【００４６】
また、アプローチ前行動に応じた走行パターンについて説明しておく。走行パターンは、上記したアプローチ行動区間での減速目標への減速停止行動（アプローチ行動）を含む支援エリア内における多種多様の運転行動に対応できるペダル操作の遷移を示すパターンである（請求の範囲の操作パターンに相当）。走行パターンは、ドライバの運転操作の癖や外乱の影響（ドライバのペダル操作要因）を考慮して、アプローチ前行動に着眼して設定される。このような様々な走行パターンを利用することにより、アプローチ行動がドライバの運転操作の癖によるものかあるいは外乱の影響を受けたものかを見分けることができ、より精度の高い減速予測情報を提供できる。走行パターンには、信頼度がそれぞれ付与される。
【００４７】
図４には、その走行パターンの一例を示しており、符号Ｍ１で示す走行パターンが基本パターンであり、符号Ｍ２で示す走行パターンがばたつくアクセルパターンであり、符号Ｍ３で示す走行パターンが外乱による減速パターンであり、符号Ｍ４で示す走行パターンがばたつくアクセル＆外乱による減速パターンである。基本パターンＭ１は、アプローチ行動Ａ１の前の行動がないパターンである。ばたつくアクセルパターンＭ２は、アプローチ行動Ａ２の前にアクセル操作のＯＮ／ＯＦＦ操作のアプローチ前行動Ｆ２があるパターンである。なお、図４に示す例では、アプローチ行動Ａ２の後に２段停止の減速操作もある。外乱による減速パターンＭ３は、アプローチ行動Ａ３の前に外乱による減速操作のアプローチ前行動Ｆ３があるパターンである。ばたつくアクセル＆外乱による減速パターンＭ４は、アプローチ行動Ａ４の前にアクセル操作のＯＮ／ＯＦＦのアプローチ前行動Ｆ４１と外乱による減速操作のアプローチ前行動Ｆ４２があるパターンである。この４つの走行パターンについては、各走行パターンについての減速予測情報を生成するためのデータとなるので、学習データとしては必要であり、そのデータは蓄えられる。
【００４８】
なお、アプローチ行動区間での減速目標への減速停止行動（アプローチ行動）を含まない走行パターンについては、減速予測情報を生成するためのデータとはならないので、学習データとしては不要であり、そのデータは破棄される。これは、図４に示す「捨てる領域」のデータであり、主として外乱の影響によって減速目標への減速停止行動を含まない走行パターンとなる。
【００４９】
また、走行パターンに付与される信頼度について説明しておく。信頼度は、車両が支援エリア進入時に出力する減速予測情報を生成する際にベースとなる走行パターンを決定するための指標である。本実施の形態では、上記した４つの走行パターンがあるので、信頼度として、信頼度が高い順にＡランク、Ｂランク、Ｃランク、Ｄランクの４つのランクを用意し、Ａランクがベースとなる走行パターンとなる。
【００５０】
ちなみに、後で説明する減速予測においては、図５に示すように、車両が支援エリアに進入するとＡランクの走行パターンの減速予測情報を出力し、アプローチ前行動チェック区間（支援エリアの進入地点からＡランクの走行パターンの減速開始位置までの区間）におけるペダル操作に基づいてアプローチ前行動をチェックして走行パターンを認識し、Ａランクの走行パターン以外の走行パターンを認識した場合にはその認識した走行パターンの減速予測情報に変更して出力する。
【００５１】
信頼度は、２つのステップで設定される。第１ステップでは、各走行パターンのアプローチ行動の減速開始位置を比較し、４つの走行パターンにおいてエリア進入から最も早く減速アプローチを開始する順に高ランクを付与する。図６には、ある支援エリアにおける各走行パターンの減速開始位置分布の一例を示しており、符号Ｄ１で示す分布が基本パターンの減速開始位置分布であり、符号Ｄ２で示す分布がばたつくアクセルパターンの減速開始位置分布であり、符号Ｄ３で示す分布が外乱による減速パターンの減速開始位置分布であり、符号Ｄ４で示す分布がばたつくアクセル＆外乱による減速パターンの減速開始位置分布であるので、この支援エリアの場合、基本パターンにＡランク、ばたつくアクセルパターンにＢランク、外乱による減速パターンにＣランク、ばたつくアクセル＆外乱による減速パターンにＤランクが設定される。ちなみに、様々なエリアにおける検証の結果、基本パターンが最も早く減速行動を開始する知見がある。
【００５２】
このように、信頼度を減速開始位置だけで設定すると、以下のような課題がある。この課題を図６の例を参照して説明する。この例の場合、上記したように、基本パターンがＡランクであり、ばたつきアクセルパターンがＢランクである。したがって、支援エリア進入時点では、基本パターンの減速予測情報が出力される。そして、図６（ａ）に示すように、ばたつくアクセルのアプローチ前行動Ｆ２１をアプローチ前行動チェック区間で検出できる場合、ばたつくアクセルパターンの減速予測情報を出力できる。しかし、図６（ｂ）に示すように、ばたつくアクセルのアプローチ前行動Ｆ２２が遅く、アプローチ前行動チェック区間で検出できない場合、ばたつくアクセルパターンであるにかかわらず、ばたつくアクセルパターンの減速予測情報を出力できない。このような場合、減速予測情報の精度が低下する。
【００５３】
そこで、第２ステップでは、ＡランクとＢランクとを比較し、上記のような課題を解決する。第２ステップでは、Ａランクの減速開始位置分布とＢランクのアプローチ前行動分布とを比較し、Ａランクの減速開始位置分布のほうがＢランクのアプローチ前行動分布よりも停止位置に近い場合にはランクを維持し、Ｂランクのアプローチ前行動分布ほうがＡランクの減速開始位置分布よりも停止位置に近い場合には基本パターンの実施頻度の比率に応じてランクを変更する。この具体的な変更処理については後で詳細に説明する。
【００５４】
それでは、具体的な処理について説明する。候補エリア学習で候補エリアが設定されている場合、ＩＴＳＥＣＵ５では、車両走行中、ナビゲーションシステム３から現在位置情報を受信する毎に、候補エリアに進入したか否かを判定する。候補エリアに進入したと判定した場合、ＩＴＳＥＣＵ５では、一定時間毎あるいは一定走行距離毎に、ＣＡＮ４からのアクセル操作情報及びブレーキ操作情報並び車両状態情報（例えば、車速情報、加減速情報）と、ナビゲーションシステム３からの現在位置情報とを紐付けてデータベース５ｂに蓄積する。そして、ＩＴＳＥＣＵ５では、車両走行中、ナビゲーションシステム３から現在位置情報を受信する毎に、候補エリアから退出したか否かを判定する。候補エリアから退出したと判定した場合、ＩＴＳＥＣＵ５では、上記情報のデータベース５ｂへの蓄積を終了するとともに、通過した候補エリアに対する通過回数を１カウントアップする。なお、データベース５ｂに蓄積するデータとしては、アクセルペダル／ブレーキペダルのＯＮ／ＯＦＦが検出されたときの情報だけを蓄積するようにしてもよい。
【００５５】
候補エリアを退出すると、ＩＴＳＥＣＵ５では、その候補エリアについて今回蓄積したデータに基づいて、減速操作と加速操作とを仕分けし、減速操作を抽出する。減速操作は、上記したように、アクセルＯＦＦ、ブレーキＯＮ／ＯＦＦ（繰り返し可）、アクセルＯＮの順で行われる操作である。加速操作は、アクセルＯＦＦ、アクセルＯＮの順（繰り返し可）で行われる操作である。
【００５６】
減速操作を抽出すると、ＩＴＳＥＣＵ５では、その減速操作に基づいて、用意されている減速パターンの中から該当する減速パターンを判別するとともに候補エリア内の減速操作が減速目標へのアプローチ行動かあるいはアプローチ前後の行動かを判定し、候補エリア内の減速操作のうちアプローチ行動だけを抽出する。このように、ＩＴＳＥＣＵ５では、候補エリア内でアプローチ行動（減速操作）によって、車両が減速停止したか否かを判定する。そういった行動がない場合、停止回数はカウントされないので、以降の更なる処理を中止する。
【００５７】
なお、アプローチ行動かあるいはアプローチ前後の行動かの判定では、減速操作におけるアクセルＯＦＦ時の車速（減速開始時車速）とブレーキＯＦＦ時の車速（減速終了時車速）に着目する。図３の例からも判るように、アプローチでの減速操作は高速から低速（特に、停止）への減速であり、アプローチ前での減速操作は高速から高速への減速であり、アプローチ後での減速操作は低速から低速への減速である。したがって、高速から低速（停止）の場合の減速操作を、減速目標へのアプローチ行動として抽出する。
【００５８】
図３に示す例の場合、基本操作の減速パターンＰ１では、減速操作Ｓ１１がアプローチ行動であり、減速操作Ｓ１１が抽出される。外乱による減速のある減速パターンＰ２では、減速操作Ｓ２１がアプローチ前行動であり、減速操作Ｓ２２がアプローチ行動であり、減速操作Ｓ２２が抽出される。２段停止の減速パターンＰ３では、減速操作Ｓ３１がアプローチ行動であり、減速操作Ｓ３２がアプローチ後の行動であり、減速操作Ｓ３１が抽出される。ポンピングブレーキの減速パターンＰ４では、減速操作Ｓ４１がアプローチ行動であり、減速操作Ｓ４１が抽出される。クリープのある減速パターンＰ５では、減速操作Ｓ５１がアプローチ行動である。ただし、この場合、停止後のクリープ操作を一緒に抽出しているので、クリープ部分を適切に取り除く必要がある。
【００５９】
アプローチ行動を抽出すると、ＩＴＳＥＣＵ５では、アプローチ行動の中でクリープ操作の有無を判定する。この判定では、アプローチ内での操作においてブレーキＯＦＦ時の車速に着目し、低車速時にブレーキＯＦＦ操作が連続して複数ある場合にはクリープ有りと判定する。なお、クリープ操作が有る場合、車両が停止し、ブレーキＯＦＦ後に引き続きドライバのブレーキのＯＮ／ＯＦＦ操作によって停止位置が変わるので、車両停止位置を正確に判別するためにクリープ操作の有無を判定している。
【００６０】
ＩＴＳＥＣＵ５では、アプローチ行動を抽出できた走行パターンについて、アプローチ前行動を仕分け、４つの走行パターンのうちのどの走行パターンかを認識する。まず、エリア内の運転操作情報に基づいてアプローチ前行動が有るか否かを判定し、アプローチ前行動が無い場合には基本パターンと判別する。基本パターンでない場合、エリア内のアプローチ行動の前の運転操作情報に基づいてばたつくアクセル操作、外乱による減速操作、ばたつくアクセル操作及び外乱による減速操作のいずれの操作のいずれの操作があるかを判定し、判定できた操作に応じてばたつくアクセルパターン、外乱による減速パターン、ばたつくアクセル＆外乱による減速パターンのいずれの走行パターンかを判別する。なお、走行パターンの認識については、下記で説明する減速予測におけるアプローチ前チェック区間で行われる場合には、その認識結果を用いる。
【００６１】
走行パターンを認識すると、ＩＴＳＥＣＵ５では、アプローチ行動での減速操作に基づいて、アクセルをＯＦＦ操作したときの位置情報から減速開始位置を特定し、ブレーキをＯＮ操作したときの位置情報からブレーキ開始位置を特定し、ブレーキをＯＦＦ操作したときの位置情報から停止位置を特定する。ブレーキＯＮ操作については、ブレーキＯＮ／ＯＦＦが繰り返される場合にはアクセルＯＦＦ操作直後のブレーキＯＮ操作を抽出する。ブレーキＯＦＦ操作については、ブレーキＯＮ／ＯＦＦが繰り返される場合には最後のブレーキＯＦＦ操作を抽出する。但し、クリープ操作が有る場合、クリープ操作の開始となる最初のブレーキＯＦＦ操作を抽出する。
【００６２】
図３に示す例の場合、アプローチの減速操作Ｓ１１の場合、アクセルＯＦＦ操作ＡＦ１時の位置が減速開始位置であり、ブレーキＯＮ操作ＢＮ１時の位置がブレーキ開始位置であり、ブレーキＯＦＦ操作ＢＦ１時の位置が停止位置である。アプローチの減速操作Ｓ２２の場合、アクセルＯＦＦ操作ＡＦ２時の位置が減速開始位置であり、ブレーキＯＮ操作ＢＮ２時の位置がブレーキ開始位置であり、ブレーキＯＦＦ操作ＢＦ２時の位置が停止位置である。アプローチの減速操作Ｓ３１の場合、アクセルＯＦＦ操作ＡＦ３時の位置が減速開始位置であり、ブレーキＯＮ操作ＢＮ３時の位置がブレーキ開始位置であり、ブレーキＯＦＦ操作ＢＦ３時の位置が停止位置である。アプローチの減速操作Ｓ４１の場合、アクセルＯＦＦ操作ＡＦ４時の位置が減速開始位置であり、ブレーキＯＮ操作ＢＮ４時の位置がブレーキ開始位置であり、ブレーキＯＦＦ操作ＢＦ４時の位置が停止位置である。アプローチの減速操作Ｓ５１の場合、アクセルＯＦＦ操作ＡＦ５時の位置が減速開始位置であり、ブレーキＯＮ操作ＢＮ５時の位置がブレーキ開始位置であり、ブレーキＯＦＦ操作ＢＦ５時の位置が停止位置である。
【００６３】
ＩＴＳＥＣＵ５では、候補エリア内での減速停止行動があったと判定している場合、その候補エリアに対する停止回数を１カウントアップする。さらに、ＩＴＳＥＣＵ５では、その候補エリアについての停止回数を通過回数（通過総数）で除算し、停止率を算出する。そして、ＩＴＳＥＣＵ５では、その候補エリアについての通過回数が所定回数以上（例えば、５回、１０回以上）でありかつ停止率（停止頻度に相当）が閾値以上（例えば、８０％、９０％以上）の場合、その候補エリアを支援エリアとして特定する。
【００６４】
支援エリアとして特定した場合、ＩＴＳＥＣＵ５では、その支援エリアについての支援エリア登録情報を更新する。支援エリア登録情報は、支援エリアについての減速予測情報であり、支援エリア毎の減速開始位置情報、ブレーキ開始位置情報、停止位置情報である（停止率（停止頻度）も含めてもよい）。この減速開始位置が車両（ドライバ）が減速目標に対して停止するときのいつもの減速開始位置であり、このブレーキ開始位置がその車両のドライバがブレーキ操作を開始するいつものブレーキ開始位置であり、この停止位置が車両（ドライバ）のいつもの停止位置である。なお、車両が同じ走行ルートを走行する毎に、同じ支援エリアについての減速開始位置情報、ブレーキ開始位置情報、停止位置情報が得られるので、各位置について分布がある。そこで、例えば、その各位置についての分布における平均位置を各位置情報として登録する。
【００６５】
支援エリア登録情報としては、支援エリア毎に、支援エリアでの全ての走行パターンを含めた情報と、４つの走行パターンについての各情報がある。したがって、あるエリアについて減速行動学習を行う毎に、エリア全体としての支援エリア登録情報が更新されるとともに、そのときの学習で認識された走行パターンの支援エリア登録情報が更新される。そして、ＩＴＳＥＣＵ５では、これらの更新した支援エリア登録情報をデータベース５ｂに蓄積する。
【００６６】
さらに、ＩＴＳＥＣＵ５では、４つの走行パターンについての信頼度を設定(更新)する。各走行パターンの信頼度を変更した場合、ＩＴＳＥＣＵ５では、これらの変更した各走行パターンの信頼度をデータベース５ｂに蓄積する。
【００６７】
信頼度の設定では、まず、ＩＴＳＥＣＵ５では、データベース５ｂに蓄積されている各走行パターンのアプローチ行動の減速開始位置情報を用いて、４つの走行パターンの減速開始位置分布の位置を比較し、減速開始位置分布がエリア進入地点に近い順に信頼度として高いランクを設定する。ここでは、上記にしたように基本パターンが最も早く減速アプローチを開始するという知見があるので、基本パターンにＡランクを設定し、他の３つの走行パターンについて減速開始位置分布を比較して信頼度を設定する。したがって、第１ステップでは、基本パターンがＡランクに設定されることになる。
【００６８】
次に、ＩＴＳＥＣＵ５では、データベース５ｂに蓄積されているＡランクの走行パターン（基本パターンの走行パターン）のアプローチ行動の減速開始位置情報とＢランクの走行パターンのアプローチ前行動の運転操作の位置情報を用いて、Ａランクの走行パターンの減速開始位置分布とＢランクの走行パターンのアプローチ前行動分布との位置を比較する。Ａランクの走行パターンの減速開始位置分布のほうがＢランクの走行パターンのアプローチ前行動分布よりも停止位置に近い場合、ＩＴＳＥＣＵ５では、減速開始位置分布の位置比較に応じた信頼度のランクを維持する。一方、Ｂランクの走行パターンのアプローチ前行動分布のほうがＡランクの走行パターンの減速開始位置分布よりも停止位置に近い場合、ＩＴＳＥＣＵ５では、データベース５ｂに蓄積されている各走行パターンの停止回数を用いて、基本パターンとの実施頻度の比率に基づいて信頼度のランクを設定する（以下に示す条件が成立する場合にはＡランクとＢランクとを入れ替える）。各エリアにおいて実施頻度が高い走行パターンは、通常、そのエリアにおいてドライバがよく行う操作パターンなので、ドライバの癖による運転操作である可能性が高い。
【００６９】
ばたつくアクセルパターンがＢランクの場合、基本パターンとの実施頻度の比率（＝ばたつくアクセルパターンの実施回数／基本パターンの実施回数）が１．０倍以上（１倍以上の頻度で起こりうる）の条件が成立すると、ばらつくアクセルパターンをＡランクに変更する。ばたつくアクセルパターンは、ドライバの癖により近いので、１．０倍と低い比率を条件とした。外乱による減速パターンがＢランクの場合、基本パターンとの実施頻度の比率（＝外乱による減速パターンの実施回数／基本パターンの実施回数）が２．０倍以上（２倍以上の頻度で起こりうる）の条件が成立すると、外乱による減速パターンをＡランクに変更する。外乱による減速走行パターンは、外乱の影響があるので、２．０倍と高い比率を条件とした。ばたつくアクセル＆外乱による減速パターンがＢランクの場合、基本パターンとの実施頻度の比率（＝ばたつくアクセル＆外乱による減速パターンの実施回数／基本パターンの実施回数）が３．０倍以上（３倍以上の頻度で起こりうる）の条件が成立すると、ばたつくアクセル＆外乱による減速パターンをＡランクに変更する。ばたつくアクセル＆外乱による減速走行パターンは、外乱の影響が大きいので、３．０倍とより高い比率を条件とした。
【００７０】
なお、減速開始位置分布やアプローチ前行動分布の位置比較を行う場合、例えば、分布の平均位置を計算し、平均位置で比較したり、分布内の停止位置から最も遠い位置を用いて比較したりする。
【００７１】
減速予測について説明する。減速予測では、支援エリアに進入すると、Ａランクの走行パターンの減速予測情報を出力する。そして、減速予測では、アプローチ前行動チェック区間において走行パターンの認識を行い、認識した走行パターンがＡランクでない場合にはその認識した走行パターンの減速予測情報を出力する。
【００７２】
具体的には、ＩＴＳＥＣＵ５では、上記した処理によって候補エリアに進入と判定した場合、その候補エリアが支援エリアと特定されているときには、データベース５ｂに蓄積されているこの支援エリアのＡランクの走行パターンの減速予測情報をＨＶＥＵＣ６に出力する。そして、ＩＴＳＥＣＵ５では、支援エリア進入後、ナビゲーションシステム３から現在位置情報を受信する毎に、Ａランクの走行パターンの減速開始位置に到達したか否かを判定する。
【００７３】
Ａランクの走行パターンの減速開始位置に到達していていないと判定している間（すなわち、アプローチ前行動チェック区間）、ＩＴＳＥＣＵ５では、データベース５ｂに蓄積されているアプローチ前行動チェック区間でのアクセル操作情報及びブレーキ操作情報を用いて、４つの走行パターンのうちのいずれの走行パターンかを認識する。ここでは、上記の減速行動学習で説明したアプローチ前行動の有無、アプローチ前行動が有る場合には３つの走行パターンのうちのどの走行パターンのアプローチ前行動かの判定することにより、走行パターンを認識する。そして、ＩＴＳＥＣＵ５では、認識した走行パターンがＡランクの走行パターンでない場合には、データベース５ｂに蓄積されているこの支援エリアにおけるその認識した走行エリアの減速予測情報をＨＶＥＵＣ６に出力する。
【００７４】
図５に示す例の場合、Ａランクが基本パターンであり、車両が支援エリア進入時点では、基本パターンの減速予測情報Ｙ１（減速開始位置ＡＦ１、ブレーキ開始位置ＢＮ１、停止位置ＢＦ１）を出力する。そして、車両がアプローチ前行動チェック区間走行中に、ペダル操作情報からばたつくアクセル操作が認識されたので、ばたつくアクセルパターンの減速予測情報Ｙ２（減速開始位置ＡＦ２、ブレーキ開始位置ＢＮ２、停止位置ＢＦ２）を出力する。ばたつくアクセル減速予測情報Ｙ２の各位置ＡＦ２，ＢＮ２，ＢＦ２は基本パターンの減速予測情報Ｙ１の各位置ＡＦ１，ＢＮ１，ＢＦ１）よりも一時停止線Ｌに近いので、この各位置ＡＦ２，ＢＮ２，ＢＦ２を用いて、ドライバの今回の走行パターンに合ったより精度の高いエコ支援を行うことができる。
【００７５】
ＨＶＥＣＵ６は、ＣＰＵ、ＲＯＭ、ＲＡＭ等からなる電子制御ユニットであり、ハイブリッド車両の動力源であるエンジンとモータ（インバータ）及び制動源であるブレーキ等を制御する。ここでは、ＨＶＥＣＵ６における機能のうちＩＴＳＥＣＵ５からの走行パターンに応じた減速予測情報を利用したエコ支援機能についてのみ説明する。ちなみに、ハイブリッド車両の減速停止時のエコ支援としては、アクセルＯＦＦの早だしによる燃料消費量の抑制、回生ブレーキ量可変による回収する電力量の増加、エンジン停止による燃料消費量と電力消費量の抑制等がある。
【００７６】
ＨＶＥＣＵ６では、車両走行中、ナビゲーションシステム３から現在位置情報を受信する毎に、支援エリアに進入したか否かを判定する。支援エリアに進入したと判定した場合、ＨＶＥＣＵ６では、減速予測情報の減速開始位置に基づいて、減速開始位置の手前の位置でドライバに通常より早めのアクセルＯＦＦ操作を促すための情報提供を行う。この情報提供では、例えば、「いつもより早めにアクセルをＯＦＦすれば燃料の消費を抑制できます」等のメッセージを画面表示したり、音声出力する。支援エリア内でドライバがアクセルのＯＦＦ操作をすると、ＨＶＥＣＵ６では、減速予測情報の停止位置に基づいて、回生ブレーキ量が増加するように（例えば、減速度が大きくなるように）、モータ（インバータ）やブレーキを制御する。なお、ここで示した減速予測情報を用いたエコ支援は一例であり、減速予測情報を用いた他の方法でエコ支援を行ってよい。
【００７７】
なお、自動運転車両やＡＣＣ機能がある車両の場合、車両側の制御で加減速制御を行うので、車両（ドライバ）のいつもの減速停止場所で車両（ドライバ）のいつもの減速停止行動に基づいて車両側でエンジンとモータ及びブレーキを制御することにより、減速予測情報に基づくアクセルＯＦＦの早だし、回生ブレーキ量の増加、エンジン停止を実施するとよい。
【００７８】
図１を参照して、車両用情報処理システム１での動作について説明する。特に、ＩＴＳＥＣＵ５におけるメイン処理については図７のフローチャートに沿って説明し、先読み情報提供処理（減速予測に相当）については図８のフローチャートに沿って説明し、行動特性情報更新処理（減速行動学習に相当）については図９のフローチャートに沿って説明する。図７は、本実施の形態に係るＩＴＳＥＣＵでのメイン処理の流れを示すフローチャートである。図８は、本実施の形態に係るＩＴＳＥＣＵでの先読み情報提供処理の流れを示すフローチャートである。図９は、本実施の形態に係るＩＴＳＥＣＵでの行動特性情報更新処理の流れを示すフローチャートである。なお、ＩＴＳＥＣＵ５等では、イグニッションスイッチがＯＮすると、各処理を開始する。
【００７９】
路車間通信装置２では、車両がインフラの通信エリア内に進入する毎に、インフラからサービス対象の交差点までの道路線形情報、その交差点の情報、信号サイクル情報等を受信し、その中の必要な情報をＩＴＳＥＣＵ５に送信している。また、ナビゲーションシステム３では、ＧＰＳ信号等に基づいて現在位置を検出する毎に、その現在位置情報及び現在位置周辺の地図情報をＩＴＳＥＣＵ５に送信している。また、ＩＴＳＥＣＵ５では、ＣＡＮ４からペダル操作情報、車速情報等を取得している。
【００８０】
ＩＴＳＥＣＵ５では、車両走行中、現在位置情報を受信する毎に、地図情報に基づいて車両が停止すると予測される位置（減速操作が多発すると予測される区間）を通過したか否かを判断し、車両が停止すると予測される位置を通過した場合にはその位置情報に基づいて候補エリアを設定する。あるいは、ＩＴＳＥＣＵ５では、車両走行中、一定時間毎あるいは一定走行距離毎に、ペダル操作情報と現在位置情報とを紐付けてデータベース５ａに蓄積していく。そして、ＩＴＳＥＣＵ５では、データベース５ａに蓄積されたペダル操作情報から減速操作を抽出し、同じ区間での減速操作の多い区間を判別し、その区間を候補エリアとして設定する。
【００８１】
候補エリアが設定されている場合、ＩＴＳＥＣＵ５では、車両走行中、現在位置情報を受信する毎に、その現在位置情報に基づいて候補エリアに進入したか否かを判定する（Ｓ１）。Ｓ１にて候補エリアに進入していないと判定した場合、ＩＴＳＥＣＵ５では、次の現在位置情報を受信するまで待ち、再度、候補エリアに進入したか否かを判定する（Ｓ１）。Ｓ１にて候補エリアに進入したと判定した場合、ＩＴＳＥＣＵ５では、その候補エリアが支援エリアと特定されている場合には先読み情報提供処理を行う（Ｓ２）。
【００８２】
先読み情報提供処理に移行すると、ＩＴＳＥＣＵ５では、支援エリアに進入したときに、データベース５ｂに蓄積されているこの支援エリアの支援エリア登録情報を用いて、信頼度Ａランクの走行パターンの減速予測情報をＨＶＥＣＵ６に出力する（Ｓ２０）。
【００８３】
ＩＴＳＥＣＵ５では、現在位置情報を受信する毎に（あるいは一定時間毎に、あるいはペダルのＯＮ／ＯＦＦを検出した時毎に）、ＣＡＮ４からペダル操作情報、車両挙動情報（例えば、車速情報）を取得し、現在進入中の候補エリアのデータとしてペダル操作情報と現在位置情報、車両挙動情報とを紐付けてデータベース５ｂに蓄積する（Ｓ２１）。そして、ＩＴＳＥＣＵ５では、データベース５ｂに蓄積されているアプローチ前行動チェック区間の情報に基づいて、アプローチ前行動を仕分け、進入中の支援エリアでのドライバの今回の走行パターンを認識する（Ｓ２２）。そして、ＩＴＳＥＣＵ５では、認識した走行パターンが信頼度Ａランクの走行パターンと異なる場合、データベース５ｂに蓄積されているこの支援エリアの支援エリア登録情報を用いて、その認識した走行パターンの減速予測情報をＨＶＥＣＵ６に出力する（Ｓ２３）。
【００８４】
ＩＴＳＥＣＵ５では、現在位置情報に基づいて信頼度Ａランクの走行パターンの減速開始位置に到達したか否かを判定する（Ｓ２４）。Ｓ２４にて減速開始位置に到達していないと判定した場合（アプローチ前行動チェック区間内）、ＩＴＳＥＣＵ５では、Ｓ２１の処理に戻る。また、Ｓ２４にて減速開始位置に到達したと判定した場合（アプローチ前行動チェック区間外）、ＩＴＳＥＣＵ５では、先読み情報提供処理を終了する。
【００８５】
ＩＴＳＥＣＵ５では、先読み情報提供処理を終了後、Ｓ２１と同様の処理により、ペダル操作情報等を取得し、データベース５ｂに蓄積する（Ｓ３）。そして、ＩＴＳＥＣＵ５では、現在位置情報に基づいて候補エリアを退出したか否かを判定する（Ｓ４）。Ｓ４にて候補エリアを退出していないと判定した場合、ＩＴＳＥＣＵ５では、Ｓ３の処理に戻る。また、Ｓ４にて候補エリアを退出したと判定した場合、ＩＴＳＥＣＵ５では、行動特性情報更新処理に移行する（Ｓ５）。
【００８６】
行動特性情報更新処理に移行すると、ＩＴＳＥＣＵ５では、その候補エリアに対する通過回数を１カウントアップする（Ｓ５０）。ＩＴＳＥＣＵ５では、データベース５ｂにその候補エリアに対して今回蓄積されたペダル操作情報に基づいて、減速操作と加速操作とを仕分け、減速操作を抽出する（Ｓ５１）。Ｓ５１に減速操作を抽出できた場合、ＩＴＳＥＣＵ５では、第１のフィルタとして減速パターンの中から該当する減速パターンを判別して、その減速操作が減速目標へのアプローチ行動かあるいはアプローチ前後の減速行動かを判定する（Ｓ５２）。ＩＴＳＥＣＵ５では、候補エリア内で、アプローチ行動の減速操作によって車両が停止したか否かを判定する。候補エリア内の減速操作のうちアプローチ行動だけを抽出すると、ＩＴＳＥＣＵ５では、第２のフィルタとしてアプローチ行動の中でクリープ操作の有無を判定する（Ｓ５２）。クリープ操作の無いアプローチ行動の場合、ＩＴＳＥＣＵ５では、そのアプローチ行動での減速操作に基づいて、アクセルＯＦＦ操作したときの位置情報から減速開始位置を特定し、アクセルＯＦＦ操作からブレーキを最初にＯＮ操作したときの位置情報からブレーキ開始位置を特定し、ブレーキを最後にＯＦＦ操作したときの位置情報から停止位置を特定する。クリープ操作が有るアプローチ行動の場合、ＩＴＳＥＣＵ５では、減速開始位置とブレーキ開始位置については上記と同様に特定し、停止位置についてクリープ操作中の開始となるブレーキを最初にＯＦＦ操作したときの位置情報から停止位置を特定する。
【００８７】
減速停止行動があったと判定している場合（Ｓ５２のフィルタ精査でフィルタを通過した場合）、ＩＴＳＥＣＵ５では、その候補エリアに対する停止回数を加算（１カウントアップ）する（Ｓ５３）。さらに、ＩＴＳＥＣＵ５では、その候補エリアについての停止回数と通過回数から停止率を更新する。
【００８８】
ＩＴＳＥＣＵ５では、データベース５ｂにその候補エリアに対して今回蓄積された情報に基づいて、アプローチ前行動を仕分け、ドライバの今回の走行パターンを認識する（Ｓ５４）。Ｓ２２の処理で走行パターンを認識できている場合には、その認識結果を用いればよい。
【００８９】
ＩＴＳＥＣＵ５では、データベース５ｂにその候補エリアに対して現在までに蓄積されている４つの走行パターンについての減速開始位置情報に基づいて、４つの走行パターンの減速開始位置分布の位置を比較し、減速開始位置分布がエリア進入地点に近い順に信頼度として高いランク各走行パターンに設定する（Ｓ５５）。さらに、ＩＴＳＥＣＵ５では、データベース５ｂにその候補エリアに対して現在までに蓄積されているＡランクの走行パターンについての減速開始位置情報と実施頻度情報及びＢランクの走行パターンについてのアプローチ前行動の操作位置情報と実施頻度情報に基づいて、Ａランクの走行パターンの減速開始位置分布とＢランクの走行パターンのアプローチ前行動分布との位置を比較し、Ｂランクの走行パターンのアプローチ前行動分布のほうがＡランクの走行パターンの減速開始位置分布よりも停止位置に近い場合には基本パターンに対する実施頻度の比率に基づいて上記に示した条件が成立するときだけＡランクとＢランクとを入れ替える（Ｓ５５）。
【００９０】
そして、ＩＴＳＥＣＵ５では、その候補エリアについての通過回数が所定数以上でありかつ停止率が閾値以上の場合、その候補エリアを支援エリアとして特定する。支援エリアとして特定した場合、ＩＴＳＥＣＵ５では、その支援エリア全体の支援エリア登録情報（減速予測情報であり、支援エリア毎の減速開始位置情報、ブレーキ開始位置情報、停止位置情報、停止頻度情報等である）を更新するとともに今回の走行パターンについての支援エリア登録情報を更新し、その更新した情報をデータベース５ｂに蓄積する（Ｓ５６）。また、ＩＴＳＥＣＵ５では、上記の処理で各走行パターンの信頼度を更新した場合、これらの更新した各走行パターンの信頼度をデータベース５ｂに蓄積する（Ｓ５６）。そして、ＩＴＳＥＣＵ５では、行動特性情報更新処理を終了し、Ｓ１の処理に戻る。
【００９１】
ＩＴＳＥＣＵ５から減速予測情報が入力されると、ＨＶＥＣＵ６では、その支援エリアにおける今回の走行パターンでの車両（ひいては、その車両のドライバ）のいつもの減速開始位置、ブレーキ開始位置、停止位置に基づいて、エコ支援を目的として情報提供、車両制御等を行う。
【００９２】
この車両用情報処理システム１（特に、ＩＴＳＥＣＵ５）によれば、データベース５ｂに支援エリア毎に４つの各走行パターンと各走行パターンの減速支援情報とを紐付けて蓄積しておき、各支援エリアに進入すると走行パターンを認識して、その認識した走行パターンに応じた減速支援情報を出力することにより、走行パターンに応じた精度の高い減速予測情報を用いてドライバに対して支援を行うことができ（支援に用いる予測精度が向上し）、ドライバに適した支援を高精度に行うことができる。支援エリアにおいて走行パターンに応じたドライバに適した支援を行うことにより、その支援に対してドライバが煩わしさや違和感を受けることなく、支援を受けることができる。また、走行パターンに応じた減速支援情報を出力することにより、そのときのドライバの走行パターンに合ったエコ支援を行うことができる。
【００９３】
さらに、車両用情報処理システム１によれば、ドライバの運転操作の癖や外乱の影響に応じた４つの走行パターンを用意しておくことにより、その４つの走行パターンの中から、各エリアに進入したときのドライバの運転操作情報に基づいて走行パターンを簡単かつ高精度に認識できる。
【００９４】
また、車両用情報処理システム１によれば、走行パターン毎に信頼度を設定することにより、信頼度（特に、Ａランク）に基づいて出力する減速支援情報を簡単かつ高精度に決定できる。特に、車両用情報処理システム１によれば、４つの走行パターンの減速開始位置がエリア進入位置に近いほど高ランクの信頼度を設定することにより、各走行パターンに対して信頼度を高精度に設定でき、最も早く減速アプローチを開始する走行パターンの減速支援情報を出力できる。また、車両用情報処理システム１によれば、Ａランクの走行パターンとＢランクの走行パターンについては基本パターンに対する実施頻度の比率に基づいてＡランクとＢランクとを入れ替え可能とすることより、各走行パターンに対して信頼度をより高精度に設定でき、ドライバの実施頻度が高い走行パターンの減速支援情報を出力することができる。これによって、アプローチ前行動チェック区間後にアプローチ前行動がある走行パターンの場合でも、その走行パターンの実施頻度が高ければＡランクに予め設定しておくことができるので、その走行パターンの減速支援情報を出力することができる。
【００９５】
また、車両用情報処理システム１によれば、支援エリア進入時点でＡランクの走行パターンの減速予測情報を出力しつつ、アプローチ前行動チェック区間で異なる走行パターンを認識した場合にはその走行パターンの減速予測情報を出力することにより、精度の高い減速予測情報を早期に出力できるとともに、より精度の高い減速予測情報へ変更できる。
【００９６】
以上、本発明に係る実施の形態について説明したが、本発明は上記実施の形態に限定されることなく様々な形態で実施される。
【００９７】
例えば、本実施の形態では車両にデータベースを備え、車両で各学習を行う構成としたが、車両に対して各種サービスを提供するセンタにデータベースを備え、センタで各学習を行う構成としてもよい。これによって、各車両でのメモリ容量や処理負荷を軽減できる。センタにデータベースを備える場合、車両とセンタとの間で無線通信でき、車両ではデータベースに蓄積する各情報をセンタに送信し、センタから支援エリア登録情報等を受信する。センタのデータベースには、支援対象の全ての車両（ドライバ）毎のデータが蓄積される。なお、センタにデータベースを備え、各学習については各車両で行う構成としてもよい。この場合でも、車両でのメモリ容量を軽減できる。
【００９８】
また、本実施の形態では減速停止についての支援を行う場合に適用したが、発進加速についての支援を行う場合にも適用可能である。発進加速についても、様々な発進加速パターンや走行パターン等を用いることにより、候補エリア学習や発進加速行動学習を同様の方法によって行うことができる。また、本実施の形態ではエコ支援に適用したが、他の支援にも適用可能である。
【００９９】
また、本実施の形態では本発明を実現するためのハードウェア構成、そのハードウェア構成による処理の一例を示しただけであり、本発明の実現するためのハードウェア構成や処理については他のものでもよい。例えば、ＩＴＳＥＣＵではなく、ナビゲーションＥＣＵで各学習を行ってもよい。
【０１００】
また、本実施の形態では候補エリアの中から支援エリアを停止頻度に基づいて特定する方法としたが、支援エリアを特定する方法としては他の方法でもよい。
【０１０１】
また、本実施の形態では信頼度の設定方法の一例を示したが、他の方法でもよい。また、本実施の形態では走行パターン毎に信頼度を設定し、信頼度に基づいて出力する減速予測情報を決定する構成としたが、走行パターンに信頼度を設定せずに、減速予測情報を決定する構成としてもよい。
【０１０２】
また、本実施の形態では停止前行動開始位置を減速開始位置とし、減速開始位置までの区間に基づいて走行パターンを認識する構成としたが、停止前行動開始位置としては、ブレーキ開始位置や停止位置であってもよい。
【産業上の利用可能性】
【０１０３】
本発明は、支援エリアに進入するとドライバの操作パターンを設定して、その操作パターンに応じて支援情報を決めることにより、操作パターンに応じた精度の高い支援情報を用いてドライバに対して支援を行うことができ、ドライバに適した支援を高精度に行うことができる。
【符号の説明】
【０１０４】
１…車両用情報処理システム、２…路車間通信装置、３…ナビゲーションシステム、４…ＣＡＮ、５…ＩＴＳＥＣＵ、５ａ，５ｂ…データベース、６…ＨＶＥＣＵ。
【図１】
2012095964.tif 000003
【図２】
2012095964.tif 000004
【図３】
2012095964.tif 000005
【図４】
2012095964.tif 000006
【図５】
2012095964.tif 000007
【図６】
2012095964.tif 000008
【図７】
2012095964.tif 000009
【図８】
2012095964.tif 000010
【図９】
2012095964.tif 000011
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
特定された支援エリアにおいてドライバに対して支援を行うための車両用情報処理システムであって、
前記支援エリア毎に操作パターンと該操作パターンに応じたドライバに対して支援を行うための支援情報とを紐付けて記憶するデータベースと、
前記支援エリア進入時におけるドライバの運転操作情報を取得する運転操作情報取得手段と、
前記運転操作情報取得手段により取得されたドライバの運転操作情報に基づいて該支援エリアにおける操作パターンを設定する操作パターン設定手段と、
前記データベースを参照し、前記操作パターン設定手段で設定した支援エリアにおける操作パターンに応じて該支援エリアにおいてドライバに対して支援を行うための支援情報を決定する支援情報決定手段と、
を備えることを特徴とする車両用情報処理システム。
【請求項２】
前記支援エリアにおける操作パターンは、操作要因に応じて設けられ、
前記操作パターン設定手段は、支援エリア進入時から停止前行動開始位置までのドライバの運転操作情報に基づいて該支援エリアにおける操作パターンを設定することを特徴とする請求項１に記載の車両用情報処理システム。
【請求項３】
前記支援情報決定手段は、前記操作パターン設定手段で設定した支援エリアにおける操作パターンに変更がある場合には該変更された操作パターンに応じて支援情報を変更することを特徴とする請求項１又は請求項２に記載の車両用情報処理システム。
【請求項４】
前記支援エリア進入位置からの停止前行動開始位置に応じて操作パターン毎に信頼度が設定され、
前記支援情報決定手段は、操作パターン毎の信頼度に基づいて支援情報を決定することを特徴とする請求項１〜請求項３のいずれか１項に記載の車両用情報処理システム。
【請求項５】
前記信頼度は、前記支援エリアにおける前記停止前行動開始位置が前記支援エリア進入位置に近い操作パターンほど高い信頼度が設定されることを特徴とする請求項４に記載の車両用情報処理システム。
【請求項６】
前記信頼度は、前記支援エリアにおいて同じ操作パターンをドライバが実施した頻度に基づいて設定されることを特徴とする請求項４又は請求項５に記載の車両用情報処理システム。
【請求項７】
前記信頼度は、実施頻度が低い操作パターンよりも実施頻度が高い操作パターンに高い信頼度が設定されることを特徴とする請求項６に記載の車両用情報処理システム。
【請求項８】
前記データベースに記憶される操作パターン毎に信頼度が設定されることを特徴とする請求項４〜７のいずれか１項に記載の車両用情報処理システム。
【請求項９】
ドライバによる運転操作情報と車両の位置情報とを紐付けて記憶されており、該記憶されている情報に基づいて車両の停止が判断され、同じエリアでの停止頻度に基づいて支援エリアが特定されることを特徴とする請求項１〜請求項８のいずれか１項に記載の車両用情報処理システム。
【手続補正２】
【補正対象書類名】明細書
【補正対象項目名】０００６
【補正方法】変更
【補正の内容】
【０００６】
本発明に係る車両用情報処理システムは、特定された支援エリアにおいてドライバに対して支援を行うための車両用情報処理システムであって、支援エリア毎に操作パターンと該操作パターンに応じたドライバに対して支援を行うための支援情報とを紐付けて記憶するデータベースと、支援エリア進入時におけるドライバの運転操作情報を取得する運転操作情報取得手段と、運転操作情報取得手段により取得されたドライバの運転操作情報に基づいて該支援エリアにおける操作パターンを設定する操作パターン設定手段と、データベースを参照し、操作パターン設定手段で設定した支援エリアにおける操作パターンに応じて該支援エリアにおいてドライバに対して支援を行うための支援情報を決定する支援情報決定手段と、を備えることを特徴とする。
【手続補正３】
【補正対象書類名】明細書
【補正対象項目名】０００８
【補正方法】変更
【補正の内容】
【０００８】
そこで、車両用情報処理システムでは、操作パターン設定手段によって支援エリア進入時のドライバの運転操作情報（例えば、アクセル操作情報、ブレーキ操作情報）に基づいてその支援エリアにおけるドライバの操作パターンを設定する。そして、車両用情報処理システムでは、支援情報決定手段によってその操作パターンに応じてドライバに対して支援を行うための支援情報を決定し、その支援情報に基づいてドライバに対して支援を行う。このように、車両用情報処理システムでは、支援エリアに進入するとドライバの操作パターンを設定して、その操作パターンに応じて支援情報を決めることにより、操作パターンに応じた精度の高い支援情報を用いてドライバに対して支援を行うことができ、ドライバに適した支援を高精度に行うことができる。ドライバに適した支援を行うことにより、その支援に対してドライバが煩わしさや違和感を受けることなく、支援を受けることができる。また、この車両用情報処理システムでは、支援エリア毎に操作パターンとその操作パターンに応じた支援情報を紐付けて記憶するデータースを備えることにより、そのデータベースを用いて、支援エリア毎にその支援エリア進入時のドライバの運転操作情報に基づいてその支援エリアにおいてドライバの操作パターンを設定でき、その設定した操作パターンに紐付いた支援情報に決定できる。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【国際調査報告】
2012095964.tif 000012
2012095964.tif 000013
2012095964.tif 000014
2012095964.tif 000015